(57)【特許請求の範囲】
【請求項１】
複数の建物ユニットが組み合わされて構成された１棟分のユニット式建物がエキスパンション・ジョイントを介して複数棟連結され、
前記各建物ユニットには、上面に勾配屋根ユニットが設けられ、
前記勾配屋根ユニットは、屋根フレーム、この屋根フレーム上に載置された下地面材と屋根面材、この屋根面材に張られた防水シート、当該勾配ユニットの端縁に沿って設けられた端縁材及び化粧部材を備えて構成され、
前記化粧部材は、前記端縁材側面に沿って垂下される垂直部、前記端縁材上に配置される水平部、及び、前記屋根面材の下面まで延在した延在部が一体に形成され、
隣合う前記勾配屋根ユニット間の連結部分に設けられた前記エキスパンション・ジョイントは、一方のユニット式建物の勾配屋根ユニットに固定された第１のエキスパンション・ジョイント部材と、他方のユニット式建物の勾配屋根ユニットに固定された第２のエキスパンション・ジョイント部材とを備えて、これらの第１と第２のエキスパンション・ジョイント部材同士が変位可能に連結され、
隣合う前記勾配屋根ユニット間に雨樋が設けられ、
前記エキスパンション・ジョイントは、前記勾配屋根ユニット間の連結部分と、前記化粧部材の垂直部及び水平部とを被覆して設けられていることを特徴とする連棟のユニット式建物の連結構造。
【請求項２】
請求項１に記載の連棟のユニット式建物の連結構造において、
前記エキスパンション・ジョイントは、第１のエキスパンション・ジョイント部材と第２のエキスパンション・ジョイント部材との間に第３のエキスパンション・ジョイント部材が掛け渡され、第１と第３のエキスパンション・ジョイント部材同士及び第２と第３のエキスパンション・ジョイント部材同士がそれぞれ変位可能に連結されていることを特徴とする連棟のユニット式建物の連結構造。
【請求項３】
請求項１又は２に記載の連棟のユニット式建物の連結構造において、連結し合うエキスパンション・ジョイント部材同士は、一方のエキスパンション・ジョイント部材の凹部に他方のエキスパンション・ジョイント部材の凸部が嵌合して変位可能に連結されていることを特徴とする連棟のユニット式建物の連結構造。
【請求項４】
請求項１又は２に記載の連棟のユニット式建物の連結構造において、
連結し合うエキスパンション・ジョイント部材同士は、一方のエキスパンション・ジョイント部材の立ち上がり端部と、他方のエキスパンション・ジョイント部材の立ち下がり端部とが当接して変位可能に連結されていることを特徴とする連棟のユニット式建物の連結構造。
【請求項５】
請求項１〜請求項４のいずれかに記載の連棟のユニット式建物の連結構造において、
前記第１のエキスパンション・ジョイント部材は、前記一方のユニット式建物の勾配屋根ユニット側に固定される基部と、垂直立ち上がり部と、前記一方のユニット式建物の勾配屋根ユニットから前記他方のユニット式建物の勾配屋根ユニットに及ぶ中間部と、当該第１のエキスパンション・ジョイント部材の厚さ分の隙間をもって内側に折り返された先端部とが連続して形成されたものであり、前記中間部の端部、及び、前記先端部で形成されたＵ字状部分の凹部を有し、
前記第２のエキスパンション・ジョイント部材は、前記他方のユニット式建物の勾配屋根ユニット側に固定される基部と、垂直立ち上がり部と、前記基部と同方向に屈曲した先端部とが連続して形成されたものであり、前記先端部が、前記凹部に嵌合する凸部となっており、
前記第２のエキスパンション・ジョイント部材の前記基部と前記第１のエキスパンション・ジョイント部材の前記先端部との凹状の隙間には、バックアップ材とシーリング材が充填されていることを特徴とする特徴とする連棟のユニット式建物の連結構造。
【請求項６】
請求項１〜５のいずれかに記載の連棟のユニット式建物の連結構造において、
前記雨樋は、一方のユニット式建物の勾配屋根ユニットに固定された第１の雨樋部材と、他方のユニット式建物の勾配屋根ユニットに固定された第２の雨樋部材とを備えて、これらの第１と第２の雨樋部材の端部同士が変位可能に連結されていることを特徴とする連棟のユニット式建物の連結構造。
【請求項７】
請求項１〜５のいずれかに記載の連棟のユニット式建物の連結構造において、
前記雨樋は、耐水性シートよりなり、この耐水性シートの中央部がたるんだ状態でこの耐水性シートの一方の端部が一方のユニット式建物の勾配屋根ユニットに固定され、他方の端部が他方のユニット式建物の勾配屋根ユニットに固定されていることを特徴とする連棟のユニット式建物の連結構造。
【発明の詳細な説明】
【０００１】
【発明の属する技術分野】
本発明は、１棟分のユニット式建物がエキスパンション・ジョイントを介して複数棟連結されている連棟のユニット式建物の連結構造に関する。
【０００２】
【背景技術】
従来、工場で建物を構成する居室等を建物ユニットとして作製しておき、これらの建物ユニットを現場に輸送し、複数の建物ユニットを水平及び垂直方向に組み合わせて建築するようにしたユニット式建物が施工されている。
【０００３】
一方、近年建物ユニットを利用した集合住宅等を得るため、１棟分のユニット式建物をエキスパンション・ジョイントを介して複数棟、例えば２棟連結した連棟のユニット式建物が提案されている。
【０００４】
【発明が解決しようとする課題】
前記連棟のユニット式建物において、隣合うユニット式建物間を連通させて、この連結部分を室内空間として利用したいという要望がある。この場合、連結部分において、雨水が浸入しない防水構造としておく必要がある。
しかし、通常のエキスパンション・ジョイントは、ユニット式建物同士の変位に対応可能なように連結することを主たる機能としているため、雨水に対する防水機能に関しては必ずしも充分ではないこともある。
【０００５】
そこで、本発明は、優れた防水性能を有する連棟のユニット式建物の連結構造を提供することを目的とする。
【０００６】
【課題を解決するための手段】
図面を参照して説明すると、図１、２に示すように、本発明の第１発明に係る連棟のユニット式建物11の連結構造は、複数の建物ユニット15が組み合わされて構成された１棟分のユニット式建物13A,13B がエキスパンション・ジョイント14を介して複数棟連結され、前記各建物ユニット15には、上面に勾配屋根ユニット21A,21Bが設けられ、前記勾配屋根ユニット21A,21Bは、屋根フレーム22、この屋根フレーム22上に載置された下地面材23と屋根面材24、この屋根面材24に張られた防水シート25、当該勾配ユニット21A,21Bの端縁に沿って設けられた端縁材26及び化粧部材31を備えて構成され、前記化粧部材31は、前記連結部分側の前記端縁材26側面に沿って垂下される垂直部31A、前記端縁材26上に配置される水平部31B、及び、前記屋根面材24の下面まで延在した延在部31Cが一体に形成され、隣合う前記勾配屋根ユニット21A,21B間の連結部分に設けられた前記エキスパンション・ジョイント14は、一方のユニット式建物の勾配屋根ユニット21Aに固定された第１のエキスパンション・ジョイント部材28と、他方のユニット式建物の勾配屋根ユニットに固定された第２のエキスパンション・ジョイント部材29とを備えて、これらの第１と第２のエキスパンション・ジョイント部材28,29同士が変位可能に連結され、隣合う前記勾配屋根ユニット21A,21B間に雨樋27が設けられ、前記エキスパンション・ジョイント14は、前記勾配屋根ユニット21A,21B間の連結部分と、前記化粧部材31の垂直部31A及び水平部31Bとを被覆して設けられていることを特徴とする。
【０００７】
前記雨樋は、エキスパンション・ジョイント内に浸入した雨水が、更に隣合うユニット式建物間の連結部分に浸入するのを防止するためのものである。
前記第１と第２のエキスパンション・ジョイント部材同士の連結構造に加えて、エキスパンション・ジョイントの下方に雨樋が設けられているため、ユニット式建物間の連結部分における優れた防水性能が得られるようになる。
【０００８】
図６に示すように、本発明の第２発明に係る連棟のユニット式建物の連結構造は、第１発明において、前記エキスパンション・ジョイント14は、第１のエキスパンション・ジョイント部材55と第２のエキスパンション・ジョイント部材56との間に第３のエキスパンション・ジョイント部材57が掛け渡され、第１と第３のエキスパンション・ジョイント部材55,57 同士及び第２と第３のエキスパンション・ジョイント部材同士56,57 がそれぞれ変位可能に連結されていることを特徴とする。
このように、エキスパンション・ジョイントは、３つの部材で構成してもよい。
【０００９】
図２に示すように、本発明の第３発明に係る連棟のユニット式建物11の連結構造は、第１又は第２発明において、連結し合うエキスパンション・ジョイント部材28,29 同士は、一方のエキスパンション・ジョイント部材28の凹部32に他方のエキスパンション・ジョイント部材29の凸部33が嵌合して変位可能に連結されていることを特徴とする。
前記２つのエキスパンション・ジョイント部材同士の凹凸嵌合構造によっても、ユニット式建物間の変位に対応可能である。
【００１０】
図４に示すように、本発明の第４発明に係る連棟のユニット式建物11の連結構造は、第１又は第２発明において、連結し合うエキスパンション・ジョイント部材48,49 同士は、一方のエキスパンション・ジョイント部材49の立ち上がり端部49A と、他方のエキスパンション・ジョイント部材48の立ち下がり端部48A とが当接して変位可能に連結されていることを特徴とする。
図２に示すように、本発明の第５発明に係る連棟のユニット式建物11の連結構造は、第１〜第４発明のいずれかにおいて、前記第１のエキスパンション・ジョイント部材は、前記一方のユニット式建物の勾配屋根ユニット側に固定される基部と、垂直立ち上がり部と、前記一方のユニット式建物の勾配屋根ユニットから前記他方のユニット式建物の勾配屋根ユニットに及ぶ中間部と、当該第１のエキスパンション・ジョイント部材の厚さ分の隙間をもって内側に折り返された先端部とが連続して形成されたものであり、前記中間部の端部、及び、前記先端部で形成されたＵ字状部分の凹部を有し、前記第２のエキスパンション・ジョイント部材は、前記他方のユニット式建物の勾配屋根ユニット側に固定される基部と、垂直立ち上がり部と、前記基部と同方向に屈曲した先端部とが連続して形成されたものであり、前記先端部が、前記凹部に嵌合する凸部となっており、前記第２のエキスパンション・ジョイント部材の前記基部と前記第１のエキスパンション・ジョイント部材の前記先端部との凹状の隙間には、バックアップ材とシーリング材が充填されていることを特徴とする。
上記連結構造によれば、エキスパンション・ジョイント14は、両部材28,29 が垂直立ち上がり部28B,29B を有していることに加えて、両部材28,29 間の凹状の隙間にバックアップ材34およびシーリング材35が充填されているため、エキスパンション・ジョイントとしての機能に加えて、防水性能を向上することができる。従って、ユニット式建物13A,13B間の連結部分を室内空間として利用する際の防水性能に対する信頼性が高まる。
【００１１】
図３に示すように、本発明の第５発明に係る連棟のユニット式建物11の連結構造は、第１〜第４発明のいずれかにおいて、前記雨樋27は、一方のユニット式建物13A の勾配屋根ユニット21A に固定された第１の雨樋部材43と、他方のユニット式建物13B の勾配屋根ユニット21B に固定された第２の雨樋部材44とを備えて、これらの第１と第２の雨樋部材43,44 の端部同士が変位可能に連結されていることを特徴とする。
前記雨樋部材の端部同士の変位可能な連結構造は、エキスパンション・ジョイントと同様の凹凸嵌合構造、端部同士の当接構造のいずれでもよい。
【００１２】
図３に示すように、本発明の第６発明に係る連棟のユニット式建物11の連結構造は、第１〜第４発明のいずれかにおいて、前記雨樋27は、耐水性シート45よりなり、この耐水性シート45の中央部45C がたるんだ状態でこの耐水性シート45の一方の端部45A が一方のユニット式建物の勾配屋根ユニット21A に固定され、他方の端部45B が他方のユニット式建物の勾配屋根ユニット21B に固定されていることを特徴とする。
前記耐水性シートの弛んだ中央部によってユニット式建物の変位を吸収できるようになる。
【００１４】
【発明の実施の形態】
〔第１実施形態〕
図１、２を参照して本発明の第１実施形態に係る連棟のユニット式建物11の連結構造を説明する。
図１に示すように、本実施形態に係る連棟のユニット式建物11は、共通の基礎12上に設置された第１棟目のユニット式建物13A 及び第２棟目の２棟のユニット式建物13B がエキスパンション・ジョイント14を介して連結されて構成されたものである。
【００１５】
前記各ユニット式建物13A,13B は、３個の建物ユニット15よりなる１階部分16、この１階部分16の上に載置された３個の建物ユニット15よりなる２階部分17及び勾配屋根18を有して構成されている。
各建物ユニット15は、柱と梁で箱形に組立てられたフレームを有し、このフレームに外壁面となる複数の外壁材19が取り付けられている。
前記勾配屋根18は、各ユニット式建物15の上面に設けられた勾配屋根ユニット21A,21B よりなる。
【００１６】
図２に示すように、前記勾配屋根ユニット21A,21B は、屋根フレーム22、この屋根フレーム22上に載置された下地面材23と屋根面材24、この屋根面材24上に張られた防水シート25、端縁に沿って設けられた端縁材26等を備えて構成されている。
隣合う勾配屋根ユニット21A,21B の連結部分において、エキスパンション・ジョイント14と雨樋27が両屋根ユニット21A,21B の上面間に掛け渡されている。
【００１７】
前記エキスパンション・ジョイント14は、第１棟目のユニット式建物13A の屋根ユニット21A 側に固定された第１のエキスパンション・ジョイント部材28、及び第２棟目のユニット式建物13B の屋根ユニット21B 側に固定された第２のエキスパンション・ジョイント部材29よりなる。これらのエキスパンション・ジョイント部材28, 29は、前記端縁材26上に化粧部材31を介して取り付けられている。この化粧部材31は、レ形端部を有する垂直部31A 、水平部31B 及び屋根面材24の下面まで延在した延在部31C が一体に形成されたものである。
【００１８】
前記第１のエキスパンション・ジョイント部材28は、第１棟目の屋根ユニット21A 側に固定される基部28A 、垂直立ち上がり部28B 、第１棟目の屋根ユニット21A から第２棟目の屋根ユニット21B に及ぶ山形の中間部28C 及びこの部材28の厚さ分の隙間をもって内側に折り返された先端部28D が連続して形成されたものである。中間部28C の端部と、この先端部28D とで形成されたＵ字状部分が、変位を吸収する凹部32となっている。
【００１９】
一方、第２のエキスパンション・ジョイント部材29は、第２棟目の屋根ユニット21B 側に固定される基部29A 、垂直立ち上がり部29B 及び基部29A と同方向に屈曲した先端部29C が連続して形成されたものである。この先端部29C が、前記凹部32に嵌合する凸部33となっている。
この第２のエキスパンション・ジョイント部材29の基部29A と第１の部材28の先端部29C との凹状の隙間には、防水のためのバックアップ材34とシーリング材35が充填されている。
【００２０】
前記雨樋27は、第１の上縁部27A 、四角い箱形の溝部27B 及び第２の上縁部  27C が連続して形成されたものである。第１の上縁部27A は、第１棟目のユニット式建物13A 側の化粧部材31上に配置され、ボルト36で端縁材26に固定されている。この第１の上縁部27A に形成されたボルト36の挿通孔は、勾配屋根ユニット21A,21B の変位を可能とするための長孔である。また、第２の上縁部27C は、第２棟目のユニット式建物13B 側の化粧部材31上に配置されている。この雨樋27は、図示しない縦樋と連通している。
化粧部材31とエキスパンション・ジョイント部材28,29 との隙間には、シール材37が介装されている。
【００２１】
本実施形態に係る連棟のユニット式建物11の連結構造は、次のようにして設けことができる。
通常通り、共通の基礎12上に１階部分16の建物ユニット15と２階部分17の建物ユニット15を載置し、更に勾配屋根ユニット21A,21B を載せて第１棟目のユニット式建物13A 及び第２棟目の２棟のユニット式建物13B を建てる。
【００２２】
次に、隣合う勾配屋根ユニット21A,21B の連結部分において、両化粧部材31間に雨樋27を掛け渡し、この雨樋27の上方に第１と第２のエキスパンション・ジョイント部材28,29 よりなるエキスパンション・ジョイント14を設置する。
この後、第２のエキスパンション・ジョイント部材29の基部29A と第１の部材28の先端部29C との凹状の隙間に、バックアップ材31とシーリング材32を充填する。
【００２３】
上記連結構造によれば、エキスパンション・ジョイント14は、両部材28,29 が垂直立ち上がり部28B,29B を有していることに加えて、両部材28,29 間の凹状の隙間にシーリング材35が充填されているため、エキスパンション・ジョイントとしての機能に加えて、防水性能も有している。
また、このエキスパンション・ジョイント14の下方には、雨樋27が設けられているため、エキスパンション・ジョイント14と雨樋27によって、二重の防水機能が得られる。従って、ユニット式建物13A,13B 間の連結部分を室内空間として利用する際の防水性能に対する信頼性が高まる。
【００２４】
〔第２実施形態〕
図３を参照して本発明の第２実施形態に係る連棟のユニット式建物11の連結構造を説明する。
本実施形態の連結構造では、第１実施形態と略同様の構造のエキスパンション・ジョイント14を備え、雨樋27として第１の雨樋41の下方に更に第２の雨樋42が設けられていることに特徴を有する。
【００２５】
前記第１の雨樋41は、第１棟目のユニット式建物13A 側に固定された第１の雨樋部材43と、第２棟目のユニット式建物13B 側に固定された第２の雨樋部材44とを備えて構成されたものである。第１の雨樋部材43は、レ形端部を有する垂直部43A 、端縁材26上に配置される水平部43B 及び屋根面材24の下面まで延在した延在部43C が一体に形成されたものである。第２の雨樋部材44は、逆レ形端部を有する垂直部44A 、凹状溝部44B 、前記垂直部44A と対向する垂直部44C 、端縁材26上に配置される水平部44D 及び屋根面材24の下面まで延在した延在部44E が一体に形成されたものである。そして、第１と第２の雨樋部材43,44 のレ形の端部同士が係合し合って両雨樋部材43,44 が変位可能に連結されている。
【００２６】
一方、前記第２の雨樋42は、耐水性シート45よりなる。この耐水性シート45は、一方の端部45A が第１棟目側の端縁材26上に取り付けられ、他方の端部45B が第２棟目側の端縁材26上に取り付けられている。この耐水性シート45は、その中央部45C がたるんだ状態で両勾配屋根ユニット21A,21B 間に設けられている。
【００２７】
本実施形態によれば、両雨樋41,42 が揃って設けられているため、防水機能を更に高めることができる。
また、耐水性シート45よりなる第２の雨樋42も、たるんだ中央部45C によってユニット式建物13A,13B の変位を吸収できる。
【００２８】
〔第３実施形態〕
図４を参照して本発明の第３実施形態に係る連棟のユニット式建物11の連結構造を説明する。
この実施形態に係るエキスパンション・ジョイント14は、両端縁材26間に掛け渡された支持板46上にスライド板47を介して設置されていることに特徴がある。このエキスパンション・ジョイント14は、第１と第２のエキスパンション・ジョイント部材48,49 を有する。
【００２９】
前記第１のエキスパンション・ジョイント部材48は、水平部分48A が形成された立ち下がり端部48B 、スライド板47上に配置される水平部48C 及び屋根面材24の下面まで延在した延在部48D が一体に形成されたものである。
前記第２のエキスパンション・ジョイント部材49は、立ち上がり端部49A 、支持板46上に配置される平面部49B 、立ち上がり部49C 、水平部49D 及び屋根面材24の下面まで延在した延在部49E が一体に形成されたものである。
【００３０】
そして、このエキスパンション・ジョイント14は、第１の部材48の立ち下がり端部48B と、第２の部材49の立ち上がり端部49A とが当接係合して変位可能に連結されている。
一方、この実施形態の雨樋27は、第２実施形態と類似の形状を有する第１と第２の雨樋部材51,52 よりなり、両雨樋部材51,52 のＵ字状に屈曲した端部51A,52A が係合し合っている。
【００３１】
〔第４実施形態〕
図５を参照して本発明の第４実施形態に係る連棟のユニット式建物11の連結構造を説明する。
この実施形態に係るエキスパンション・ジョイント14は、第１と第２のエキスパンション・ジョイント部材53,54 よりなる。
前記第１のエキスパンション・ジョイント部材53は、第１棟目側の端縁材26上に配置される水平部53A 及び水平部分53C が形成された立ち上がり端部53B が一体に形成されたものである。
【００３２】
前記第２のエキスパンション・ジョイント部材54は、第２棟目側の端縁材26上に配置される水平部54A 、立ち上がり部54B 、第１棟目側に達する曲面部54C 及び立ち下がり端部54D が一体に形成されたものである。
そして、このエキスパンション・ジョイント14は、第１の部材53の立ち上がり端部53B と、第２の部材54の立ち下がり端部54D とが当接係合して変位可能に連結されている。
一方、この実施形態の雨樋27は、第２実施形態に係る第１の雨樋41と同じものである。
【００３３】
〔第５実施形態〕
図６を参照して本発明の第５実施形態に係る連棟のユニット式建物11の連結構造を説明する。
この実施形態に係るエキスパンション・ジョイント14は、第１のエキスパンション・ジョイント部材55と第２のエキスパンション・ジョイント部材56との間に第３のエキスパンション・ジョイント部材57が掛け渡されて構成されていることに特徴を有する。
【００３４】
前記第１と第２のエキスパンション・ジョイント部材55,56 は、第１棟目側と第２棟目側の端縁材26上にそれぞれ配置される水平部55A,56B 及び斜め上方向の立ち上がり端部55B,56B が一体に形成されたものである。
前記第２のエキスパンション・ジョイント部材57は、両端にそれぞれ形成された斜め下方向の立ち下がり端部57A 、折り重なり部57B 及び山形の中央部57C が一体に形成されたものである。
【００３５】
そして、このエキスパンション・ジョイント14は、第１の部材55の立ち上がり端部55B と第３の部材57の立ち下がり端部57A とが当接係合し、また第２の部材56の立ち上がり端部56B と第３の部材57の立ち下がり端部57A とが当接係合して変位可能に連結されている。
一方、この実施形態の雨樋27は、第２実施形態に係る第２の雨樋42と同じものである。
【００３６】
【発明の効果】
本発明に係る連棟のユニット式建物の連結構造によれば、隣合うユニット式建物間の連結部分に雨水が浸入することがなくなり、優れた防水性能が得られる。
【図面の簡単な説明】
【図１】本発明の実施形態に係る連棟のユニット式建物の斜視図である。
【図２】第１実施形態に係る連棟のユニット式建物の連結構造の断面図である。
【図３】第２実施形態に係る連結構造の要部断面図である。
【図４】第３実施形態に係る連棟のユニット式建物の連結構造の断面図である。
【図５】第４実施形態に係る連棟のユニット式建物の連結構造の断面図である。
【図６】第５実施形態に係る連棟のユニット式建物の連結構造の断面図である。
【符号の説明】
11  連棟のユニット式建物
12A,12B   ユニット式建物
14  エキスパンション・ジョイント
15  建物ユニット
18  勾配屋根
21A,21B   勾配屋根ユニット
27  雨樋
28,48,53,55   第１のエキスパンション・ジョイント部材
29,49,54,56   第２のエキスパンション・ジョイント部材
32  凹部
33  凸部
41  第１の雨樋
42  第２の雨樋
45  耐水性シート
57  第３のエキスパンション・ジョイント部材
【図１】
0003766470.tif 000002
【図２】
0003766470.tif 000003
【図３】
0003766470.tif 000004
【図４】
0003766470.tif 000005
【図５】
0003766470.tif 000006
【図６】
0003766470.tif 000007